(57)【要約】【課題】駐車料金自動収受設備コストを低減化すること。【解決手段】コントロールセンタ１３と、駐車場２に配置されるアンテナ８と、車輌５に搭載される車載器６と、車載器６から信号２１を受信し車輌５に搭載されている携帯電話器７とから構成されている。コントロールセンタ１３と携帯電話器７の通信に基づいて車輌５の入場許可信号２３がコントロールセンタ１３から駐車場２に送信される。駐車場は、アンテナの他に入場許可信号２３に基づいてゲートの開閉を実行する制御器１２が設けられている。携帯電話器７のＣＰＵ機能は、車載器の機能負担を軽減する。多くの駐車場は全国に配置されている。携帯電話器は、個々人に普遍的に携帯されていて、自動車とともに移動している。このような携帯電話器のＣＰＵ機能を利用すれば、駐車場の側の設備コスト負担と、コントロールセンタの制御機能負担と、車載器のＣＰＵ機能負担とが軽減される。【選択図】          図３
2004220136.tif 000002
【特許請求の範囲】
【請求項１】
コントロールセンタと、
駐車場に配置されるアンテナと、
車輌側に搭載される車載器と、
前記車載器から信号を受信し前記車輌に搭載されている携帯電話器とを構成し、
前記コントロールセンタと前記携帯電話器の通信に基づいて前記車輌の入場許可信号が前記コントロールセンタから前記駐車場に送信される
駐車場の自動料金収受システム。
【請求項２】
前記駐車場に設置されるゲートを更に構成し、
前記入場許可信号は前記ゲートの開閉を制御する
請求項１の駐車場の自動料金収受システム。
【請求項３】
請求項１の自動料金収受システムを用いて前記車輌の入場を制御する駐車場の自動料金収受方法であり、
駐車場利用希望者の意思に基づいて前記携帯電話器を介して前記コントロールセンタに予約申込み信号を送信するステップと、
コントロールセンタにより入場可能性を判定するステップと、
コントロールセンタにより予約受付確認信号を送信するステップ
とを構成する
駐車場の自動料金収受方法。
【請求項４】
前記コントロールセンタにより予約申込み信号に基づいて前記携帯電話器に前記予約受付画面を送信するステップと、
前記予約受付画面を介して入場予約推定時刻を入力するステップ
とを更に構成する請求項３の駐車場の自動料金収受方法。
【請求項５】
前記車載器により前記アンテナの周囲に規定されている規定領域の中に進入した車輌に前記アンテナを介して前記車輌が到着した到着信号を前記車載器に送信するステップと、
前記車載器と前記アンテナとを介して前記コントロールセンタに到着信号と駐車場利用対応キーワードとを送信するステップと、
前記コントロールセンタにより前記駐車場利用対応キーワードに応答してアンテナを介してゲートに開信号を送信するステップ
とを更に構成する請求項４の駐車場の自動料金収受方法。
【請求項６】
アンテナによりコントロールセンタの申込み先電話番号を前記車載器に送信するステップと、
車載器により前記予約申込み信号を前記コントロールセンタに送信するステップ
とを更に構成する駐車場の自動料金収受方法。
【請求項７】
前記コントロールセンタの入場可否の判定が入場可であれば、入場可能認証を示す認証画像を前記携帯電話器に送信するステップ
を更に構成する請求項６の駐車場の自動料金収受方法。
【請求項８】
送信部位と、
受信部位とを構成し、
前記送信部位は、コントロールセンタに対して入場予約を申し込む申込信号と、駐車場に設置されるアンテナと車輌に搭載されている車載器を介してコントロールセンタに予約申し込みのための予約申し込み電話番号とを発信し、
前記受信部位は、コントロールセンタから入場許可信号を受信する
携帯電話器。
【請求項９】
前記アンテナは、
前記車載器に対して通信する狭域通信機能と、
前記予約申し込み電話番号を前記コントロールセンタに自動発信する自動機能とを有している
請求項８の携帯電話器。
【請求項１０】
受信部位と、
送信部位とを構成し、
前記受信部位は駐車場に配置されているアンテナから予約申し込み電話番号を受信し、
前記送信部位は、前記予約申し込み電話番号を前記駐車場に接近する前記車輌に搭載されている携帯電話器に自動送信する
車載器。
【請求項１１】
前記受信部位は前記アンテナから狭域無線により前記予約申し込み電話番号を受信する
請求項１０の車載器。
【発明の詳細な説明】
【０００１】
【発明の属する技術分野】
本発明は、駐車場の自動料金収受システム、それ用の機器、及び、それの方法に関する。
【０００２】
【従来の技術】
有料道路のゲートでは、車載器とゲート側機器との間の瞬時の通信により通行料の自動収受が行われていて、車の流れの停滞が回避される（参考：後掲特許文献１，２）。車社会の多様な施設には、駐車設備がある。駐車場入口の料金収受手続の遅延による車の流れの停滞は、その回避が求められる。有料道路には、後掲特許公報で知られているように、料金収受システムが設けられている。道路側の通信機器と車輌側の車載器との間で通信が行われ、料金収受の確認に基づいて、ゲートの開閉が制御されている。駐車場の数は非常に多い。有料道路のシステムをそのままに全駐車場に設けることは、設備の多重投資によるコストの増大を招く。
【０００３】
駐車場の自動収受機器の設備費用の低減化が求められる。
【特許文献１】
特開平２００１−３５１１９７号
【特許文献２】
特開平２００２−１５７６１５号
【０００４】
【発明が解決しようとする課題】
本発明の課題は、駐車料金自動収受設備コストを低減化する駐車場の自動料金収受システム、それ用の機器、及び、それの方法を提供することにある。
【０００５】
【課題を解決するための手段】
その課題を解決するための手段が、下記のように表現される。その表現中に現れる技術的事項には、括弧（）つきで、番号、記号等が添記されている。その番号、記号等は、本発明の実施の複数の形態又は複数の実施例のうちの少なくとも１つの実施の形態又は複数の実施例を構成する技術的事項、特に、その実施の形態又は実施例に対応する図面に表現されている技術的事項に付せられている参照番号、参照記号等に一致している。このような参照番号、参照記号は、請求項記載の技術的事項と実施の形態又は実施例の技術的事項との対応・橋渡しを明確にしている。このような対応・橋渡しは、請求項記載の技術的事項が実施の形態又は実施例の技術的事項に限定されて解釈されることを意味しない。
【０００６】
本発明による駐車場の自動料金収受システムは、コントロールセンタ（１３）と、駐車場（２）に配置されるアンテナ（８）と、車輌側（５）に搭載される車載器（６）と、車載器（６）から信号（２１）を受信し車輌（５）に搭載されている携帯電話器（７）とから構成されている。コントロールセンタ（１３）と携帯電話器（７）の通信に基づいて車輌（５）の入場許可信号（２３）がコントロールセンタ（１３）から駐車場（２）に送信される。駐車場は、アンテナの他に入場許可信号（２３）に基づいてゲートの開閉を実行する制御器（１２）が設けられている。
【０００７】
携帯電話器（７）のＣＰＵ機能は、車載器の機能負担を軽減する。多くの駐車場は全国に配置されている。携帯電話器は、個々人に普遍的に携帯されていて、自動車とともに移動している。このような携帯電話器のＣＰＵ機能を利用すれば、駐車場の側の設備コスト負担と、コントロールセンタの制御機能負担と、車載器のＣＰＵ機能負担とが軽減される。
【０００８】
駐車場（２）に設置されるゲート（１又は９）が存在する。入場許可信号（２３）はゲート（９）の開閉を制御する。入場許可信号（２３）はゲート（９）のモータ（１２）にアンテナ（８）を介して送信され得る。
【０００９】
本発明による駐車場の自動料金収受方法は、既述の駐車場の自動料金収受システムを用いて車輌（５）の入場を制御する駐車場の自動料金収受方法であり、駐車場利用希望者の意思に基づいて携帯電話器を介してコントロールセンタ（１３）に予約申込み信号（１４）を送信するステップと、コントロールセンタ（１３）により入場可能性を判定するステップと、コントロールセンタ（１３）により予約受付確認信号（１８）を送信するステップと、コントロールセンタ（１３）により予約申込み信号（１４）に基づいて携帯電話器（７）に予約受付画面（１５）を送信するステップと、予約受付画面（１５）を介して入場予約推定時刻（１６）を入力するステップとから構成されている。
【００１０】
携帯電話器（７）と車載器（６）とアンテナ（８）の通信連携により、携帯電話器の通信機能を利用した予約申し込み方法が設備コスト安に実現する。
【００１１】
車載器（６）によりアンテナ（８）の周囲に規定されている規定領域の中に進入した車輌（５）にアンテナ（８）を介して車輌（５）が到着した到着信号（２２）を車載器（６）に送信するステップと、車載器（６）とアンテナ（８）とを介してコントロールセンタ（１３）に到着信号（２２）と駐車場利用対応キーワード（２１）とを送信するステップと、コントロールセンタ（１３）により駐車場利用対応キーワード（２１）に応答してアンテナ（８）を介してゲート（１）に開信号を送信するステップとが更に追加される。駐車場利用対応キーワード（２１）の送受信により、料金収受の業務が円滑化される。
【００１２】
アンテナ（８）によりコントロールセンタ（１３）の申込み先電話番号（２４）を車載器（６）に送信するステップと、車載器（６）により予約申込み信号（１４）をコントロールセンタ（１３）に送信するステップとが更に追加される。携帯電話器（７）を利用して予約申込み信号（１４）の自動発信が実行され、車輌側は駐車場に固有の予約電話番号を知る必要がない。
コントロールセンタ（１３）の入場可否の判定が入場可であれば、入場可能認証（２８）を示す認証画像（２８）を携帯電話器（７）に送信するステップが更に追加される。駐車可能でない場合に、駐車場に入場することができる。
【００１３】
本発明による携帯電話器は、送信部位（図示されないが携帯電話器が当然に有している機能部分）と、受信部位（図示されないが携帯電話器が当然に有している機能部分）とから構成される。送信部位は、コントロールセンタ（１３）に対して入場予約を申し込む申込信号（１４）と、駐車場（２）に設置されるアンテナ（８）と車輌（５）に搭載されている車載器（６）を介してコントロールセンタ（１３）に予約申し込みのための予約申し込み電話番号（２４）とを発信する。受信部位は、コントロールセンタ（１３）から入場許可信号（２３）を受信する。
【００１４】
アンテナ（８）は、携帯電話器（７）に対して通信する狭域通信機能と、予約申し込み電話番号（２４）をコントロールセンタ（１３）に自動発信する自動機能とを有している。
【００１５】
本発明による車載器は、受信部位（図示されないが車載器が当然に有している機能部分）と、送信部位（図示されず）とを構成し、受信部位は駐車場に配置されているアンテナ（８）から予約申し込み電話番号（２４）を受信し、送信部位は、予約申し込み電話番号（２４）を駐車場（２）に接近する車輌（５）に搭載されている携帯電話器（７）に自動送信する。
【００１６】
【発明の実施の形態】
図に対応して、本発明による駐車場の自動料金収受システムは、駐車場に入場制御ゲートが設けられている。その入場制御ゲート１は、図１に示されるように、駐車場２に配置されている。駐車場２は、フェリー岸壁、遊園地、ホテルのように不特定者が利用する多様な施設（以下、公共的施設といわれる）３に併設されている。駐車場２と公共的施設３の間には、人の出入りのための通用口４が介設されている。駐車場２には、料金自動収受が行われない他のゲート１’が設けられている。
【００１７】
駐車場２を利用する自動車５には、図２に示されるように、車載器６が搭載されている。携帯電話器７は、自動車５に乗車している駐車場利用希望者とともに自動車５の中に存在している。車載器６は、経済的に且つ法律的に自動車５に固有に対応する通信器であり、特に、狭域通信（例示：ＤＳＲＣ，  Ｄｅｄｉｃａｔｅｄ  Ｓｈｏｒｔ  Ｒａｎｇｅ  Ｃｏｍｍｕｎｉｃａｔｉｏｎ）機能を有している。携帯電話器７は、経済的に且つ法律的に自動車５を現時点で利用している駐車場利用希望者に固有に対応する携帯通信端末である。入場制御ゲート１には、双方向通信アンテナ８が付属している。入場制御ゲート１の入場制御は、遮断機９により実行される。遮断機９は、開閉棒１１とモータ軸１２とから形成されている。双方向通信アンテナ８は、ＤＳＲＣ（狭域通信）技術に用いられる電波用アンテナ、超短波用送受信器、又は、光学的送受信器が利用されている。
【００１８】
図３は、本発明による駐車場の自動料金収受システムを実施する要素ブロックを示している。入場制御は、コントロールセンタ１３により統御されている。携帯電話器７は、双方向にコントロールセンタ１３に接続している。携帯電話器７は、双方向に車載器６に接続している。車載器６は、双方向通信アンテナ８を介して双方向にコントロールセンタ１３に接続している。コントロールセンタ１３は、遮断機９に一方方向に接続している。開閉確認信号のフィードバックのためには、コントロールセンタ１３は遮断機９に双方向に接続することが好ましい。
【００１９】
図４は、本発明による駐車場の自動料金収受方法の実施の形態を示している。駐車場利用希望者は、車内又は車外から、携帯電話器７を用いてコントロールセンタ１３の予約部位に電話をかけ予約申込み信号１４をコントロールセンタ１３に送信する（ステップＳ１）。コントロールセンタ１３は、予約申込み信号１４に従って携帯電話器７に予約受付画面１５を送信する（ステップＳ２）。携帯電話器７の表示部位に表示される予約受付画面１５には、図５に示されるように、入場予約推定時刻１６を入力する推定時刻入力欄が含まれている。駐車場利用希望者は、キー操作により２０ＸＸ年ＹＹ月ＺＺ日ＨＨ時ｈｈ分を推定時刻入力欄に入力する（ステップＳ３）。入場予約推定時刻１６は、クリック領域１７のクリックに従って、コントロールセンタ１３に送信される（ステップＳ４）。
【００２０】
コントロールセンタ１３は、自動車５の入場可能性を判定し、自動車５の入場が可能であることを判定した場合には、予約受付確認信号１８を送信する（ステップＳ５）。予約受付画面１５には、予約受付確認信号１８に基づいて受付確認欄１９に”予約ＯＫ”が表示される。受付確認欄１９には、駐車場利用対応キーワード（予約番号）２１が添付される。駐車場利用対応キーワード２１は、携帯電話器７のメモリに記憶される。
【００２１】
駐車場２に付属している双方向通信アンテナ８の周囲に規定されている規定領域の中に進入した自動車５の車載器６は、自動的に双方向通信アンテナ８を介して到着信号２２を車載器６に送信する。駐車場利用対応キーワード２１は、到着信号２２に添付されて車載器６と双方向通信アンテナ８とを介してコントロールセンタ１３に送信される（ステップＳ６）。コントロールセンタ１３は、その到着時刻が入場予約推定時刻１６の時間的近傍範囲にあり、且つ、自動車５の入場が現実的に可能であることを判定して、ゲート開信号２３を直接に又は双方向通信アンテナ８を介して遮断機９に送信する（ステップＳ７）。
【００２２】
図６は、本発明による駐車場の自動料金収受方法の実施の他の形態を示している。実施の本形態は、自動車５が入場制御ゲート１に近接した場合にゲート開制御が自動的に行われる点で、実施の既述の形態と異なっている。入場制御ゲート１に近接した自動車５の車載器６は、双方向通信アンテナ８から送信されチケット申込みセンタ（コントロールセンタ１３に同じ）の申込み先電話番号２４を受信する（ステップＳ８）。車載器６は、申込み先電話番号２４を携帯電話器７に自動送信する（ステップＳ９）。申込み先電話番号２４には携帯電話器７を自動起動する起動信号２５が添付されている。携帯電話器７は、起動信号２５に基づいて、申込み先電話番号２４によりチケット申込みセンタ１３に自動的に電話してチケット申込み信号２６をチケット申込みセンタ１３に送信する（ステップＳ１０）。チケット申込みセンタ１３は、入場可否２７を携帯電話器７に送信し、入場可否が入場可であれば、入場可能認証２８を示す認証画像を携帯電話器７に送信する。入場可能認証２８は、図７に示されるように、携帯電話器７の表示部位に表示される。ゲート開閉管理人は、携帯電話器７に表示されている入場可能認証２８を見て入場許可を確認し、遮断機９の開閉棒１１を開く。実施の本形態では、駐車可能までに待ち時間がある場合に、ひとまずゲートを通過して駐車場内で待機することができる。
【００２３】
図８は、実施の既述の形態のサービスに更に付加される割引きサービスを示している。携帯電話器７が車載器６を介してコントロールセンタ１３と交信して入場を許可された場合に、携帯電話器７はコントロールセンタ１３からクーポン情報を受け取ることができる。クーポン情報は、コントロールセンタ１３から電話により携帯電話器７に送信され、携帯電話器７の表示画面に認証つきで表示される。公共施設の駐車場２の料金徴収所２９でその表示画面が係員に提示される。コントロールセンタ１３に装備されている自動課金システムにより料金が課金される場合には、コントロールセンタ１３に保持されているクーポン情報に基づいて自動的に料金の割引きが実行される。
【００２４】
車載器６と携帯電話器７の組合せは、携帯電話器７の高度なＣＰＵ機能を車載器６に負担させないですむ。車載器６は、携帯電話器７とコントロールセンタ１３の間の通信に必要である最小限の機能が与えられている。車載器６は、多様な機種と機能の携帯電話器機能を有効に活用することができる。車載器６はこのように基地局的機能を有しているが、車載器６には高度なＣＰＵ機能は要求されない。
【００２５】
【発明の効果】
本発明による駐車場の自動料金収受システム、それ用の機器、及び、それの方法は、携帯電話器と車載器の通信連携により、車載器の機能の高度化を抑制して、システムのコストを削減することができる。個々人が持つ携帯電話器のネット性が有効に利用される。車載器の機能は究極的には通信機能のみ制限され得る。
【図面の簡単な説明】
【図１】図１は、本発明による駐車場の自動料金収受システムの適用を示す平面図である。
【図２】図２は、本発明による駐車場の自動料金収受システムの実施の形態を示す平面図である。
【図３】図３は、本発明による駐車場の自動料金収受システムの実施の形態の詳細を示すシステム要素ブロック図である。
【図４】図４は、本発明による駐車場の自動料金収受方法の実施の形態を示すタイムチャートである。
【図５】図５は、表示画面を示す平面図である。
【図６】図６は、本発明による駐車場の自動料金収受方法の実施の他の形態を示すタイムチャートである。
【図７】図７は、他の表示画面を示す平面図である。
【図８】図８は、本発明による駐車場の自動料金収受システムの実施の更に他の形態を示す斜軸投影図である。
【符号の説明】
１…ゲート
２…駐車場
５…車輌
６…車載器
７…携帯電話器
８…アンテナ
１２…制御器（モータ）
１３…コントロールセンタ
１４…予約申込み信号
１５…予約受付画面
１６…入場予約推定時刻
２１…信号（駐車場利用対応キーワード）
２２…到着信号
２３…入場許可信号
２４…予約申し込み電話番号
２８…入場可能認証（認証画像）
【図１】
2004220136.tif 000003
【図２】
2004220136.tif 000004
【図３】
2004220136.tif 000005
【図４】
2004220136.tif 000006
【図５】
2004220136.tif 000007
【図６】
2004220136.tif 000008
【図７】
2004220136.tif 000009
【図８】
2004220136.tif 000010